(57)【要約】【課題】非接触カード機能を利用して簡便にレシート情報を取得し、管理することができ、しかもこれらのレシート情報を視覚的に確認することができる移動体端末装置を提供すること。【解決手段】外部Ｒ／Ｗ１２に移動体端末１１を近づけると、外部Ｒ／Ｗ１２との移動体との間で通信が行われて、外部Ｒ／Ｗ１２と移動体端末１１との間で決済が行われる。さらに、その決済に関するトルカレシート情報が外部Ｒ／Ｗ１２から非接触カードＩＣ１１１にバッファリングされる。コントローラ１１２は、トルカレシート情報をトルカ制御部１１３に転送する。トルカ制御部１１３では、トルカレシート情報を所定のフォーマットで管理する。移動体端末１１では、必要に応じてディスプレイ１１６に管理情報を表示したり、会計ソフトウェアなどのアプリケーションを用いて経理処理がなされる。この経理処理された情報も必要に応じてディスプレイ１１６により表示される。【選択図】図４
2006350442.tif 000002
【特許請求の範囲】
【請求項１】
外部機器から非接触カード機能用決済情報を取得する非接触カード機能手段と、前記非接触カード機能用決済情報を管理する非接触カード機能制御手段と、を具備することを特徴とする移動体端末装置。
【請求項２】
前記非接触カード機能制御手段は、前記非接触カード機能用決済情報を決済毎に関連づけた管理テーブルを有することを特徴とする請求項１記載の移動体端末装置。
【請求項３】
前記非接触カード機能制御手段は、前記非接触カード機能用決済情報を会計に関するソフトウェアにおいて用いるために、前記非接触カード機能用決済情報をインポート又はエクスポートする手段を有することを特徴とする請求項１又は請求項２記載の移動体端末装置。
【請求項４】
前記非接触カード機能制御手段は、前記非接触カード機能用決済情報を外部機器に送信する送信手段を有することを特徴とする請求項１から請求項３のいずれかに記載の移動体端末装置。
【請求項５】
外部機器から非接触カード機能用決済情報を移動体端末装置で管理するデータ管理方法であって、
前記外部機器から非接触カード機能手段に前記非接触カード機能用決済情報を転送するステップと、
前記非接触カード機能用決済情報を前記移動体端末装置の非接触カード機能制御手段で管理するステップと、
を具備することを特徴とするデータ管理方法。
【請求項６】
前記非接触カード機能用決済情報を管理するステップは、決済毎に前記非接触カード機能用決済情報を管理することを特徴とする請求項５記載のデータ管理方法。
【発明の詳細な説明】
【技術分野】
【０００１】
本発明は移動体端末装置に関し、非接触カード機能を搭載した移動体端末装置に関する。
【背景技術】
【０００２】
移動体端末装置の高機能化に伴い、移動体端末装置を利用して様々なデータを取得する場面が増加している。近年ではＩＣカード機能を搭載した移動体端末装置が広く普及し、これらを利用することにより現金を使わず、移動体端末装置内にプリペイド情報を記憶することで店舗側に設置された専用のＲ／Ｗ（リーダ／ライタ）に移動体端末装置をかざすだけで簡単に決済を行う方法が普及し始めている。
【発明の開示】
【発明が解決しようとする課題】
【０００３】
しかしながら、現在、上記のような移動体端末装置を用いた決済では、ユーザは自分の決済履歴を確認するためには、移動体端末装置内部に記憶された所定のアプリケーションを立ち上げてネットワークを介して決済履歴の情報を取得するか、専用のＲ／Ｗとパソコンとを接続して、Ｒ／Ｗに移動体端末装置をかざして情報を取り込んだ上で専用のアプリケーションから閲覧しなければならなかった。また、所定のアプリケーションを立ち上げて最新の決済履歴を確認する際には、ネットワークを介して行うために、移動体端末装置が通信可能なエリアに在圏している必要があり、移動体端末装置が通信可能なエリアの圏外にある場合は決済履歴を確認することができないという問題があった。
【０００４】
また、決済時も、決済に関する情報の詳細（小計、税金、総額など）を管理していないので、移動体端末装置においてこれらの決済情報を視覚的に確認することができず、手渡される決済の内容と、実際に移動体端末装置から引き落とされている決済データとが一致しているかどうかを簡単に確認することができなかった。
【０００５】
本発明はかかる点に鑑みてなされたものであり、非接触カード機能を利用して簡便にレシート情報を取得し、管理することができ、しかもこれらの決済情報を視覚的に確認することができる移動体端末装置を提供することを目的とする。
【課題を解決するための手段】
【０００６】
本発明の移動体端末装置は、外部機器から非接触カード機能用決済情報を取得する非接触カード機能手段と、前記非接触カード機能用決済情報を管理する非接触カード機能制御手段と、を具備することを特徴とする。
【０００７】
上記非接触カード機能用決済情報は、高速での送受信に対応できるように小容量である。また、この非接触カード機能用決済情報は、サービス事業者が指定する任意の形式に基づいて構成されている。したがって、取得した非接触カード機能用決済情報データは移動体端末装置内に整理して格納・保存されるため、その後の非接触カード機能用決済情報の管理や検索などを簡単に行うことができる。また、これらの決済情報の視覚的な確認を実現することができる。
【０００８】
本発明の移動体端末装置においては、前記非接触カード機能制御手段は、前記非接触カード機能用決済情報に関連する決済情報を管理する管理テーブルを有することが好ましい。
【０００９】
本発明の移動体端末装置においては、前記非接触カード機能制御手段は、前記非接触カード機能用決済情報を会計に関するソフトウェアにおいて用いるために、前記非接触カード機能用決済情報をインポート又はエクスポートする手段を有することが好ましい。これにより、電子決済の決済情報についての入力操作を削減することが可能となる。
【００１０】
本発明の移動体端末装置においては、前記非接触カード機能制御手段は、前記非接触カード機能用決済情報を外部機器に送信する送信手段を有することが好ましい。
【００１１】
本発明のデータ管理方法は、外部機器から非接触カード機能用決済情報を移動体端末装置で管理するデータ管理方法であって、前記外部機器から非接触カード機能手段に前記非接触カード機能用決済情報を転送するステップと、前記非接触カード機能用決済情報を前記移動体端末装置の非接触カード機能制御手段で管理するステップと、を具備することを特徴とする。
【００１２】
この方法によれば、非接触カード機能の決済情報である決済情報を移動体端末装置内で管理するので、これらの決済情報の視覚的な確認を実現することができる。
【００１３】
本発明のデータ管理方法においては、前記非接触カード機能用決済情報を管理するステップは、決済毎に前記非接触カード機能用決済情報を管理することが好ましい。
【発明の効果】
【００１４】
本発明によれば、外部機器から非接触カード機能手段に前記非接触カード機能用決済情報を転送し、前記非接触カード機能用決済情報を前記移動体端末装置の非接触カード機能制御手段で管理するので、非接触カード機能の決済情報を管理し、これらのレシート情報の視覚的な確認を実現することができる。
【発明を実施するための最良の形態】
【００１５】
近年では、家計簿の管理を家庭のパソコンなどを利用して電子的に管理するケースが増えている。表計算ソフトを利用することにより、家計管理を非常に簡単かつ効率的に行うことができる。ただし、このようなソフトウェアを利用する際にも決済毎の情報の入力はユーザが自ら行う必要あり面倒である。さらに、電子決済を行った場合や、レシートが発行されない場合などに関しては決済情報の把握が非常に困難である。家計管理をするためのソフトウェアは移動体端末内にダウンロード可能なＪＡＶＡ（登録商標）アプリケーションの形で移動体端末にダウンロードすることも可能であるが、携帯電話のような移動体端末では、入力インタフェースがテンキーなどに限られるため、上記のようなユーザの決済情報の入力作業がさらに煩雑になる傾向がある。
【００１６】
本発明者らはこれらの点に着目し、移動体端末装置を利用した決済の決済情報を簡易で低容量なデータ（決済情報）として外部Ｒ／Ｗから移動体端末装置に転送し、移動体端末装置で管理し、移動体端末装置のディスプレイに必要に応じて表示させることにより、上記のような問題を一度に解決できることを見出し本発明をするに至った。
【００１７】
本発明の骨子は、外部機器から非接触カード機能手段に前記非接触カード機能用決済情報を転送し、前記非接触カード機能用決済情報を前記移動体端末装置の非接触カード機能制御手段で管理して、非接触カード機能の決済情報を管理し、これらの決済情報の視覚的な確認を実現することである。
【００１８】
以下、本発明の実施の形態について、添付図面を参照して詳細に説明する。
図１は、本発明の一実施の形態に係る移動体端末装置の概略構成を示す図である。
図１に示す移動体端末１１は、非接触カード機能を実現するための非接触カードＩＣ１１１と、この非接触カードＩＣ１１１を制御するコントローラ１１２と、非接触カード機能データである決済情報（トルカレシート情報）を制御するトルカ制御部１１３とから主に構成されている。また、移動体端末１１は、外部リーダライタ（Ｒ／Ｗ）１２とトルカレシート情報の送受信を行う。外部Ｒ／Ｗ１２は、決済センター１３と有線又は無線により接続されている。また、移動体端末１１は、オペレーティングシステム（移動機ＯＳ）を有しており、移動機ＯＳ上でブラウザ機能、ビューワ機能、ＪＡＭ（Java（登録商標）Application Manager）その他の機能が動作する。
【００１９】
移動体端末１１における非接触カード機能は、非接触カード、例えば非接触ＩＣカード機能用コンテンツを追加などできる機能をいい、例えばフェリカ（Felica：登録商標）などを挙げることができる。本発明においては、非接触カード機能により、外部Ｒ／Ｗ１２から非接触カード機能用決済情報を取得することができる。非接触カード機能を実現するために、移動体端末１１には、非接触カードＩＣ１１１や非接触カード機能用のコントローラ１１２が搭載されている。
【００２０】
本発明に係る移動体端末１１は、この移動体端末１１と移動通信網を介して接続された移動通信網用サーバと、移動体端末１１とインターネットのようなネットワークを介して接続されたＷｅｂサーバ及び非接触カード機能用コンテンツサーバとからシステムを構成している。移動通信網は、移動体端末１１と移動通信網用サーバとの間のネットワークである。この移動通信網には、通常の移動通信網に加えて移動パケット通信網も含まれる。移動通信網用サーバは、例えばｉモード（登録商標）サーバであり、移動通信網とインターネットとを結ぶゲートウェイ機能を担っており、具体的には、情報配信機能、メール送受信機能、メール蓄積機能、契約顧客管理機能、情報提供者（Information Provider）管理機能、及び情報料課金機能を有する。コンテンツサーバは、非接触カード機能用コンテンツを提供する複数のサービスプロバイダから提供されるそれぞれの非接触カード機能用コンテンツのコンテンツ本体データを格納すると共に、非接触カード機能を実現するコントローラとネットワークを介して非接触カード機能用コンテンツの追加・削除、初期化、データの読み書きを行う。また、コンテンツサーバは、コンテンツサーバから非接触カード機能を実現するコントローラに対する処理を行うためのアプリケーションも搭載している。
【００２１】
上記構成を有する移動体端末１１においては、通信部が外部Ｒ／Ｗ１２からの搬送波を検出した後に、その通信部と外部Ｒ／Ｗ１２との間で通信を開始して決済を行って、外部Ｒ／Ｗ１２から非接触カード機能用決済情報を取得する。取得したレシート情報は、非接触カード機能用決済情報を用いる制御部に転送されて格納される。このレシート情報は、所定のフォーマットで管理され、会計ソフトウェアなどに使用される。
【００２２】
図２は、図１に示す移動体端末装置の構成を示すブロック図である。なお、図２に示す構成は、本発明を説明するために簡略化したものであり、通常の移動体端末装置に搭載される構成要素は備えているものとする。なお、ここでは、非接触カード機能用決済情報がトルカレシート情報である場合について説明する。
【００２３】
図２に示す移動体端末１１は、外部Ｒ／Ｗ１２からトルカレシート情報を取得する通信部１１４と、トルカレシート情報をバッファリングする非接触カードＩＣ１１１と、非接触カード機能を実現させるためのコントローラ（フェリカオペレーティングシステム）１１２と、移動体端末１１の移動機ＯＳ上で動作し、トルカレシート情報を使用するための種々の制御を行うトルカ制御部１１３と、トルカレシート情報の表示を制御する表示制御部１１５と、表示制御された文字、画像、映像を表示するディスプレイ１１６と、外部Ｒ／Ｗ１２やネットワークとの間の通信を制御する通信制御部１１７と、アンテナ１１８とを含む。また、移動体端末１１においては、トルカレシート情報を用いるアプリケーション１１９がインストールされている。
【００２４】
通信部１１４は、移動体端末１１を外部Ｒ／Ｗ１２にかざしたときに、外部Ｒ／Ｗ１２との間で通信を行って決済を行うと共に、外部Ｒ／Ｗ１２からの指示によりトルカレシート情報を取得して、非接触カードＩＣ１１１にバッファリングする。コントローラ１１２は、非接触カードＩＣ１１１にバッファリングされたトルカレシート情報をトルカ制御部１１３に受け渡す。トルカレシート情報は、簡易で低容量なデータで構成された決済情報であるので、電子決済の際に簡単に外部Ｒ／Ｗ１２から移動体端末１１（非接触カードＩＣ１１１）に転送することが可能である。したがって、ユーザが移動体端末１１を外部Ｒ／Ｗ１２にかざしたときに、移動体端末１１と外部Ｒ／Ｗ１２との間で電子決済を行うと共にトルカレシート情報を外部Ｒ／Ｗ１２から移動体端末１１に転送することができる。
【００２５】
トルカ制御部１１３は、図２に示すように、処理部全体を制御する制御部１１３１と、トルカレシート情報を管理するトルカレシートデータ管理部１１３２と、トルカレシート情報のフォーマットを行うフォーマット部１１３３と、アプリケーション１１９でトルカレシート情報を使用する際にトルカレシート情報をエクスポートし、アプリケーション１１９からの処理結果情報をインポートすることを制御するインポート／エクスポート制御部１１３４とを含む。
【００２６】
トルカレシートデータ管理部１１３２は、トルカレシート情報を決済毎に管理する。ここで、トルカレシート情報とは、決済に必要となる事項を含む情報であり、会計ソフトウェアなどにより会計処理を行うことができる情報である。このトルカレシート情報は、図３に示すような管理テーブルにより管理されている。例えば、トルカレシートデータ管理部１１３２の管理テーブルでは、決済日時、利用サービス、決済場所、科目、利用金額（総計）などを決済毎に管理している。なお、管理テーブルにおける管理項目はこれに限定されず、会計処理に必要な管理項目であれば特に制限はない。また、トルカレシート管理部１１３２は、管理項目によるソート処理や検索処理を行う。したがって、トルカレシートデータ管理部１１３２は、決済毎のトルカレシート情報、ソート処理された利用サービス毎のトルカレシート情報の履歴、あるいは１ヶ月間のトルカレシート情報の履歴を表示制御部１１５に出力する。これらのトルカレシート情報や履歴は、表示制御部１１５によりディスプレイ１１６に表示される。このように、トルカレシート情報は、上記のように整理されて格納されているため、特定の検索操作を行うことにより検索や集計が可能になる。
【００２７】
フォーマット部１１３３は、外部Ｒ／Ｗ１２から取得したトルカレシート情報を所定のフォーマットに変換してトルカレシートデータ管理部１１３２に送る。トルカレシートデータ管理部１１３２では、フォーマット部１１３３で所定のフォーマットに変換されたトルカレシート情報を格納する。このようにフォーマットを共通化しておくことにより、例えば特定の場所に小計、総額、決済日時、決済場所、決済に使った電子マネーサービスの提供企業名（もしくはサービス名称）などを系統的に蓄積・管理することができる。
【００２８】
インポート／エクスポート制御部１１３４は、トルカレシート情報を会計ソフトウェなどのアプリケーション１１９にエクスポートし、アプリケーション１１９において処理された結果をインポートする処理を制御する。これにより、移動体端末１１にインストール（ダウンロード）されたソフトウェアにトルカレシート情報を用いることが可能となる。
【００２９】
表示制御部１１５は、ビューワ機能を備えており、取得したトルカレシート情報をディスプレイ１１６上に表示する。また、表示制御部１１５は、トルカレシート情報を所定の表示形式にフォーマットしてディスプレイ１１６に表示させる。トルカレシート情報は、図５（ａ）〜（ｃ）に示すようなレイアウトで表示される。図５（ａ）に示す表示画面においては、決済毎のトルカレシート情報が表示される。また、図５（ｂ）に示す表示画面においては、所定の期間におけるトルカレシート情報の履歴が表示される。また、図５（ｃ）に示す表示画面おいては、アプリケーション１１９を用いて集計などの会計処理における入力画面が表示される。なお、これらの表示画面のレイアウトや項目については、これに限定されず、種々変更して実施することができる。
【００３０】
通信制御部１１７は、移動体端末１１と他の移動体端末装置や別の通信機器との間の無線通信の制御などを行う。例えば、通信制御部１１７は、アンテナ１１８からの無線信号を受信すると共に、他の移動体端末や別の通信機器に送信する信号をアンテナ１１８を介して送信する。また、通信制御部１１７は、ブラウザ機能やメーラ機能を備えている。なお、通信制御部１１７は、光通信、赤外線通信、Bluetooth通信などにも対応できる構成を備えていても良い。
【００３１】
アプリケーション１１９は、主に会計ソフトウェアなどの決済情報を用いて経理処理を行うものである。このアプリケーション１１９としては、これに限定されず、広くトルカレシート情報を用いるものを含む。なお、これらのアプリケーション１１９は、移動体端末１１にインストールやダウンロードされ、移動体端末１１の移動機ＯＳ上で動作する。
【００３２】
次に、上記構成を有する移動体端末によるトルカレシート情報の取得について説明する。図４は、図１に示す移動体端末装置を用いてトルカレシートデータを取得する際の処理手順を示す図である。本発明に係るデータ管理方法では、ユーザが外部Ｒ／Ｗ１２に移動体端末１１をかざして決済を行うと共にトルカレシート情報を移動体端末１１に保存する。
【００３３】
外部Ｒ／Ｗ１２は、所定の搬送波を所定のデータで変調し、この情報信号を常時報知している。図４に示すように、この外部Ｒ／Ｗ１２に移動体端末１１を近づけると、移動体端末１１の非接触カードＩＣ１１１が通信部１１４を介して情報信号を検出する。情報信号は電磁波であるので、この電磁波により非接触カードＩＣ１１１が起動する。そして、外部Ｒ／Ｗ１２はコマンドを発呼（応答要求）し（ＳＴ１１）、移動体端末１１内の非接触カードＩＣ１１１内のバッファに情報信号をバッファリングする。バッファリングが完了すると非接触カードＩＣ１１１から応答信号が外部Ｒ／Ｗ１２に送られる(ＳＴ１２)。
【００３４】
次いで、外部Ｒ／Ｗ１２は、トルカスニップデータであるトルカレシート情報（決済データ）を非接触カードＩＣ１１１に送信する（ＳＴ１３）。非接触カードＩＣ１１１は、トルカレシート情報を受信したときにデータ受信完了通知（応答信号）を外部Ｒ／Ｗ１２に送信する（ＳＴ１４）。また、非接触カードＩＣ１１１は、トルカデータの拡張子又は識別子を認識し、トルカレシート情報を非接触カード領域外に、すなわちコントローラ１１２に引き渡す（ＳＴ１５）。
【００３５】
コントローラ１１２は、トルカデータの拡張子又は識別子を認識し、トルカレシート情報をトルカ制御部１１３に引き渡す（ＳＴ１６）。トルカ制御部１１３では、トルカレシート情報を受信し、所定のフォーマットで保存して管理する（ＳＴ１７）。その後、その時点で管理しているトルカレシート情報を上書きして更新する（ＳＴ１８）。移動体端末１１では、必要に応じてディスプレイ１１６に管理情報を表示したり、会計ソフトウェアなどのアプリケーションを用いて経理処理がなされる。また、この経理処理された情報も必要に応じてディスプレイ１１６により表示される。これにより、移動体端末１１により決済情報を視覚的に簡単に確認することができる。
【００３６】
具体的には、取得したトルカレシート情報は、トルカ制御部１１３のトルカレシートデータ管理部１１３２に格納される。なお、このトルカレシート情報は、必要に応じてフォーマット部１１３３で所定のフォーマットに変換される。トルカレシート情報を所定のフォーマットに変換することにより、トルカレシート情報の検索や集計が容易になる。格納されたトルカレシート情報は、インポート／エクスポート制御部１１３４を介して移動体端末１１内にインストールした会計ソフトウェアに送られ、会計ソフトウェア上で経理処理が行われる。この場合、ユーザが自らトルカレシート情報を入力する手間を省くことができる上に、細かいトルカレシート情報までも管理することが可能となる。さらに、会計ソフトウェアを連動させることより移動体端末１１を使った電子決済のトルカレシート情報と、その他の決済情報を併せて管理することもできる。これにより、電子決済のトルカレシート情報についてはユーザが自ら入力する必要がなく、煩わしい入力操作を省くことができる。また、管理しているトルカレシート情報を通信制御部１１７を介して家庭やオフィスのパソコンに送信することにより、家庭やオフィスのパソコンにインストールされている会計ソフトウェアを用いて経理処理を行うことができる。なお、決済情報の送信については、赤外線、無線、有線などにより行うことができる。
【００３７】
さらに、移動体端末１１にインストールした他のソフトウェア、例えば表計算ソフトウェアでトルカレシート情報を用いることにより、決済情報の集計などを移動体端末１１上で行うことが可能となる。このように、トルカレシート情報を移動体端末１１内で管理しているので、移動体端末１１においてトルカレシート情報の表示、検索、集計、履歴表示、残金確認などを行うことができる。これにより、通信のサービスの圏内・圏外にかかわらずどこでもトルカレシート情報の表示、検索、集計、履歴表示、残金確認などを行うことができる。
【００３８】
本発明は上記実施の形態に限定されず、種々変更して実施することが可能である。例えば、上記実施の形態においては、非接触カード機能用決済情報がトルカレシート情報である場合について説明しているが、本発明は非接触カード機能用決済情報がトルカレシート情報以外の非接触カード機能用決済情報である場合にも同様に適用することができる。その他、本発明の範囲を逸脱しない限りにおいて適宜変更して実施することが可能である。
【図面の簡単な説明】
【００３９】
【図１】本発明の一実施の形態に係る移動体端末装置の概略構成を示す図である。
【図２】図１に示す移動体端末装置の構成を示すブロック図である。
【図３】図１に示す移動体端末装置における管理テーブルの例を示す図である。
【図４】図１に示す移動体端末装置を用いてトルカレシートデータを取得する際の処理手順を示す図である。
【図５】（ａ）〜（ｃ）は、図１に示す移動体端末装置におけるトルカレシートデータの表示例を示す図である。
【符号の説明】
【００４０】
１１  移動体端末
１２  外部リーダライタ
１１１  非接触カードＩＣ
１１２  コントローラ
１１３  トルカ制御部
１１４  通信部
１１５  表示制御部
１１６  ディスプレイ
１１７  通信制御部
１１８  アンテナ
１１９  アプリケーション
１１３１  制御部
１１３２  トルカレシートデータ管理部
１１３３  フォーマット部
１１３４  インポート／エクスポート制御部
【図１】
2006350442.tif 000003
【図２】
2006350442.tif 000004
【図３】
2006350442.tif 000005
【図４】
2006350442.tif 000006
【図５】
2006350442.tif 000007